(57)【要約】【課題】意匠面を有し、光透過性を有する材質でなり、内部を前記光源から出射した光が透過することにより発光する意匠部材とを有する光装飾具に関し、光っている部分と光っていない部分との境界が明瞭な光装飾具を提供することを課題とする。【解決手段】  ＬＥＤ素子（光源）６３と意匠部材５３との間の光の経路に沿って配置され、ＬＥＤ素子６３から出射する光が直接意匠部材５３へ入射するのを防止する壁（遮光部）７３ｅと、光出射面が意匠部材５３に対向し、ＬＥＤ素子（光源）６３からの光が入射し、入射した光を意匠部材５３へ導く第２ベース（導光部）５７とを有する。【選択図】図２
2016177871.tif 000002
【特許請求の範囲】
【請求項１】
光源と、
意匠面を有し、光透過性を有する材質でなり、内部を前記光源から出射した光が透過することにより発光する意匠部材と、
を有する光装飾具において、
少なくとも前記光源と前記意匠部材との間の光の経路に沿って配置され、前記光源から出射する光が直接前記意匠部材へ入射するのを防止する遮光部と、
光出射面が前記意匠部材に対向し、前記光源からの光が入射し、入射した光を前記意匠部材へ導く導光部と、
を有することを特徴とする光装飾具。
【請求項２】
前記導光部は、
光拡散材を含有し、
入射した光が拡散光となって出射することを特徴とする請求項１記載の光装飾具。
【請求項３】
前記意匠部材の前記意匠面と対向する面側に配置された光源組み立て体を有し、
該光源組み立て体は、
ベース本体部と、
該ベース本体部の前記意匠部材側に形成された凸部と、
該凸部に形成され、前記光源が内部に収納される光源穴と、
を有し、
前記遮光部は、前記光源穴の壁であることを特徴とする請求項１または２記載の光装飾具。
【請求項４】
前記光源穴の壁は、少なくとも前記光源の光出射面を越えて延びていることを特徴とする請求項３記載の光装飾具。
【請求項５】
前記導光部の光出射面は前記意匠部材に密着していることを特徴とする請求項１乃至４のいずれか記載の光装飾具。
【発明の詳細な説明】
【技術分野】
【０００１】
本発明は、光源と、意匠面を有し、光透過性を有する材質でなり、内部を前記光源から出射した光が透過することにより発光する意匠部材とを有する光装飾具に関する。
【背景技術】
【０００２】
光装飾具の一例として、図８に示す構成のものがある。図において、導光板１は、４つの端面と、２つの主面とを有する平板状となっている。
この導光板１はハウジング３に配置される。ハウジング３は、上面が開放面３ｂとなり、底部に導光板１が設けられる箱状の本体部３ａと、本体部３ａの開放面を覆うように設けられる蓋部３ｃとからなっている。蓋部３ｃには、本体部３ａの開放面３ｂと対向する穴３ｄが形成されている。
【０００３】
ハウジング３の本体部３ａ内には、導光板１の４つの端面のうちの１つの端面に向かって光を照射する光源５が配置されている。
また、ハウジング３の本体部３ａの底面と、導光板１との間には、反射板７が配置されている。この反射板７は導光板１のハウジング３の本体部３ａの底面と対向する主面（２つの主面のうちの一方の主面）から出射した光を再び導光板１内へ反射するものである。
【０００４】
導光板１の他方の主面上には、前面板９が配置される。
導光板１のハウジング３の本体部３ａの底面と対向する主面には、乱反射層１１が設けられ、前面板９の２つの主面には、遮光層１３が形成されている。
光源５から出射した光の大部分は、導光板１へ入射し、一部は２つある主面のうちの他方の主面から出射し、前面板９を介して、外部に出射する。
【０００５】
導光板１へ入射した光のうち、主面から出射しない残りの光は、導光板１の２つある主面のうちの他方の主面から出射し、反射板７で反射し、再び導光板１内へ入射する（例えば、特許文献１参照）。
【先行技術文献】
【特許文献】
【０００６】
【特許文献１】特開２０１４−１７０６６０号公報
【発明の概要】
【発明が解決しようとする課題】
【０００７】
しかし、上記構成の光装飾具において、光源の光から出射した光の一部は、導光板１へ入射せず、前面板９に入射したり、ハウジング３の蓋部３ｃの穴３ｄから外部に放射されたりする。
よって、前面板９を見た場合、光っている部分と、光っていない部分との境界が不明瞭であるという問題点がある。
【０００８】
本発明は、上記問題点に鑑みてなされたもので、その課題は、光っている部分と光っていない部分との境界が明瞭な光装飾具を提供することにある。
【課題を解決するための手段】
【０００９】
上述した課題のうち少なくとも一つを実現するために、本発明の一側面を反映した光装飾具は、
光源と、
意匠面を有し、光透過性を有する材質でなり、内部を前記光源から出射した光が透過することにより発光する意匠部材と、
を有する光装飾具において、
少なくとも前記光源と前記意匠部材との間の光の経路に沿って配置され、前記光源から出射する光が直接前記意匠部材へ入射するのを防止する遮光部と、
光出射面が前記意匠部材に対向し、前記光源からの光が入射し、入射した光を前記意匠部材へ導く導光部と、
を有することを特徴とする。
【００１０】
本発明の他の特徴は、以下に述べる発明を実施するための形態並びに添付の図面から一層明らかになるであろう。
【発明の効果】
【００１１】
本発明の光装飾具によれば、少なくとも前記光源と前記意匠部材との間の光の経路に沿って配置され、前記光源から出射する光が直接前記意匠部材へ入射するのを防止する遮光部と、光出射面が前記意匠部材に対向し、前記光源からの光が入射し、入射した光を前記意匠部材へ導く導光部と、を有することにより、光源から直接意匠部材へ入射する光がない。
【００１２】
よって、光っている部分と光っていない部分との境界が明瞭となる。
本発明の他の効果は、以下に述べる発明を実施するための形態並びに添付の図面から一層明らかになるであろう。
【図面の簡単な説明】
【００１３】
【図１】実施形態の光装飾具を意匠面側からみた平面図である。
【図２】図１の切断線ＩＩ−ＩＩでの断面図である。
【図３】図２のＩＩＩ部分の拡大図である。
【図４】図１の切断線ＩＶ−ＩＶでの断面図である。
【図５】図４のＶ部分の拡大図である。
【図６】図１の光装飾具の分解斜視図である。
【図７】図６のＬＥＤとＬＥＤベースとの拡大図である。
【図８】従来の光装飾具の断面図である。
【発明を実施するための形態】
【００１４】
図面を用いて説明する。尚、本実施形態の光装飾具は、車両のガーニッシュに適用した例である。
図１は実施形態の光装飾具を意匠面側からみた平面図、図２は図１の切断線ＩＩ−ＩＩでの断面図、図３は図２のＩＩＩ部分の拡大図、図４は図１の切断線ＩＶ−ＩＶでの断面図、図５は図４のＶ部分の拡大図、図６は図１の光装飾具の分解斜視図、図７は図６のＬＥＤとＬＥＤベースとの拡大図である。
【００１５】
最初に、図６を用いて、本実施形態の光装飾具の全体構成を説明する。図において、板状の意匠部材５３は、外部に露出する意匠面５３ａを有している。意匠部材５３の意匠面５３ａと対向する面には、２色射出成形法により、第１ベース５５と、第２ベース５７とが形成されている。更に、第１ベース５５と第２ベース５７の間には、長手方向（図６において矢印ｌ方向）に沿って溝５９が形成される。
【００１６】
第１ベース５５、第２ベース５７はいずれも光透過性を有する樹脂材質でなっており、少なくともどちらか一方の部材は、入射した光を意匠部材５３へ導く導光部として機能する。
尚、本実施形態では、第１ベース５５，第２ベース５７は、拡散材（光の散乱現象を応用した添加剤を入れた材料）を含有したアクリル樹脂とした。
【００１７】
溝５９には、ＬＥＤ組み立て体（光源組み立て体）６１が超音波溶接法で取り付けられる。
図７を用いて、ＬＥＤ組み立て体６１を説明する。
ＬＥＤ組み立て体６１は、テープ状のＬＥＤ基板６７と、非光透過性材質でなり、ＬＥＤ基板６７を保持するＬＥＤベース６９とからなっている。
【００１８】
ＬＥＤ基板７３は、長手方向（図７の矢印ｌ方向）に沿って、複数のＬＥＤ素子（光源）６３と、このＬＥＤ素子６３を駆動する複数の駆動ＩＣ６５とが設けられている。
尚、本実施形態では、ＬＥＤベース６９の材質は、ＡＳＡ樹脂またはポリアセタール樹脂を用いた。
【００１９】
また、ＬＥＤベース６９は、本体部７１と、本体部７１の意匠部材５３と対向する面上に形成され、ＬＥＤ組み立て体６１を収容する凸部７３とからなっている。
図２−図５、図７に示すように、凸部７３の長手方向（図１、図６、図７において矢印ｌ方向）に沿った２つの側面のうちの一方の側面７３ｓは、導光部として機能する第２ベース５７に当接し、他方の側面７３ｔは第１ベース５５に当接している。凸部７３の長手方向に沿った側面７３ｔには、ＬＥＤ基板６７を収納するスリット７３ｃが形成されている。更に、凸部７３内には、スリット７３ｃに連設され、ＬＥＤ素子６３を収納する光源穴７３ａと、スリット７３ｃに連設され、駆動ＩＣ６５を収納するＩＣ穴７３ｂとが形成されている。
【００２０】
また、光源穴７３ａは、凸部７３の一方の側面７３ｓに開口７３ｄを有し、他方の側面７３ｔに開口７３ｆを有している。
そして、光源穴７３ａに収納されるＬＥＤ素子６３は開口７３ｄ、開口７３ｆより奥まった位置に配置される。尚、本実施形態のＬＥＤ素子６１は、側面発光体タイプであり、第２ベース５７と対向する光出射面６３ａより光を出射するようになっている。
【００２１】
凸部７３の光源穴７３ａの壁７３ｅのうち、ＬＥＤ素子６１の光出射面６３ａから開口７３ｄまでの壁７３ｅは、ＬＥＤ素子（光源）６１の光出射方向に沿って、ＬＥＤ素子（光源）６１の光出射面６３ａを越えて延びている。よって、凸部７３のＬＥＤ素子６１の光出射面６３ａから開口７３ｄまでの壁７３ｅは、少なくともＬＥＤ素子（光源）６３と、第２ベース（導光部）５７との間の光の経路に沿って配置され、ＬＥＤ素子（光源）６３の光出射面６３ａから出射する光をすべて第２ベース（導光部）５７へ入射させ、ＬＥＤ素子（光源）６３から出射した光が直接意匠部材５３へ入射するのを防止する遮光部として機能する。
【００２２】
尚、本実施形態では、ＬＥＤ素子６１と壁７３ｅとの間に隙間があるので、光出射面６３ａから開口７３ｆまでの壁７３ｅも、ＬＥＤ素子（光源）６３から出射した光が直接意匠部材５３へ入射するのを防止する遮光部として機能する。
上記構成の作動を説明する。図３に示すように、ＬＥＤ素子６３光出射面６３ａから出射した光は、凸部７３の光源穴７３ａの開口７３ｄを介して、凸部７３の一方の側面７３ａが当接する第２ベース（導光部）５７の面（光入射面５７ａ）から第２ベース（導光部）５７に入射する。入射した光は、第２ベース（導光部）５７の意匠部材５３との対向面である光出射面５７ｂから意匠部材５３の光入射面５３ｂ内に入射し、意匠部材５３の意匠面５３ａが発光する（図３の矢印参照）。
【００２３】
上記構成の光装飾具によれば、以下の様な効果が得られる。
（１）ＬＥＤ素子６３を開口７３ｄより奥まった位置に配置し、凸部７３の光源穴７３ａの開口７３ｄ側の壁７３ｅを遮光部とし、第２ベース５７を光出射面５７ｂが意匠部材５３に対向し、ＬＥＤ素子（光源）６１からの光が入射し、入射した光を意匠部材５３へ導く導光部としたことにより、ＬＥＤ素子（光源）６３から直接意匠部材５３へ入射する光がない。よって、光っている部分と光っていない部分との境界が明瞭となる。
【００２４】
更に、本実施形態では、導光部として機能する第２ベース５７は、意匠部材５３に２色射出成形法により形成されているので、第２ベース５７の光出射面５７ｂが意匠部材５３の光入射面５３ｂに密着しているので、光っている部分と光っていない部分との境界が更に明瞭となる。
【００２５】
（２）導光部として機能する第２ベース５７は、拡散材を含有しているので、ムラがない均一な光を意匠部材５３へ入射させることができる。
尚、本発明は上記実施形態に限定するものではない。上記実施形態としては、光源としてＬＥＤ素子を用いた例で説明を行ったが、光源としては、白熱球、蛍光灯、ＥＬ（エレクトロルミネッセンス）であってもよい。
【００２６】
また、ＬＥＤ素子（光源）６３の出射面、出射方向は光らせたい部位により適宜選択すれば良い。例えば、上記実施形態では、ＬＥＤ素子６３の光出射面は、第２ベース５７と対向する面としたが、第１ベース５５と対向する面を光出射面としてもよい。この場合、導光部は、第１ベース５５となり、少なくともＬＥＤ素子（光源）６３と意匠部材５３との間の光の経路に沿って配置され、ＬＥＤ素子６３から出射する光が直接意匠部材５３へ入射するのを防止する遮光部は、凸部７３のＬＥＤ素子６１の光出射面から開口７３ｆまでの壁７３ｅとなる。
【００２７】
尚、この場合においても、ＬＥＤ素子６１と壁７３ｅとの間に隙間があるので、光出射面６３ａから開口７３ｄまでの壁７３ｅも、ＬＥＤ素子（光源）６３から出射した光が直接意匠部材５３へ入射するのを防止する遮光部として機能する。
更に、本実施形態の導光部として機能する第２ベース５７は、意匠部材５３に２色射出成形法により形成されているので、第２ベース５７の光出射面５７ｂが意匠部材５３の光入射面５３ｂに密着していたが、第２ベース５７の光出射面５７ｂが意匠部材５３の光入射面５３ｂに密着してる必要はない。第２ベース５７の光出射面５７ｂと、意匠部材５の光入射面５３ｂとの間には、若干の隙間がある対抗関係であってもよい。
【００２８】
また、上記実施形態では、光装飾具として、車両のガーニッシュに適用した例で説明を行ったが、他に、家の外装や内装等の車両以外の光装飾具にも適用できる。
【符号の説明】
【００２９】
５３  意匠部材
５７  第２ベース（導光部）
６３  ＬＥＤ素子
７３ｅ  壁（遮光部）
【図１】
2016177871.tif 000003
【図２】
2016177871.tif 000004
【図３】
2016177871.tif 000005
【図４】
2016177871.tif 000006
【図５】
2016177871.tif 000007
【図６】
2016177871.tif 000008
【図７】
2016177871.tif 000009
【図８】
2016177871.tif 000010